(57)【要約】【課題】フレームの形状が極力簡素な繊細形状となるために、意匠としてのスッキリ・シンプルさと掲示シーンでの照明効果を伴って、掲示物に浮き出し感が生じるおしゃれな額縁、特に掲示物が背景に浮き出す繊細な額縁を提供する。【解決手段】縦横フレームをＬ字形の連結金具により枠組みした矩形の額縁本体と、掲示物を保持して額縁本体に納められる掲示板と、額縁本体に各隅角において上記掲示板を押さえる数個の止ネジとからなり、各フレームは、連結金具の直片が嵌入して固定される蟻溝からなるチャンネル形に形成するとともに、蟻溝が開口する裏面に外側の延長となる突条を上記掲示板の囲みとして突設してなり、上記掲示板には、各隅角において上記止ネジの通し口が形成されている。【選択図】    図１
2010068888.tif 000002
【特許請求の範囲】
【請求項１】
縦横フレームをＬ字形の連結金具により枠組みした矩形の額縁本体と、掲示物を保持して額縁本体に納められる掲示板と、額縁本体に各隅角において上記掲示板を押さえる数個の止ネジとからなり、各フレームは、連結金具の直片が嵌入して固定される蟻溝からなるチャンネル形に形成するとともに、蟻溝が開口する裏面に外側の延長となる突条を上記掲示板の囲みとして突設してなり、上記掲示板には、各隅角において上記止ネジの通し口が形成されていることを特徴とする額縁。
【請求項２】
縦横フレームをＬ字形の連結金具により枠組みした矩形の額縁本体と、掲示物を挟んで額縁本体に納められる一対の掲示板と、額縁本体に各隅角において両掲示板を押さえる数個の止ネジとからなり、各フレームは、連結金具の直片が嵌入して固定される上部空間とその下に下部空間を有する二段空間の蟻溝がほゞ全体となるチャンネル形に形成するとともに、蟻溝が開口する裏面に外側の延長となる突条を両掲示板の囲みとしてその両重ね厚みにほゞ等しい寸法に突設してなり、両掲示板は、少なくとも前面となる一枚が透明であって、各隅角において前記止ネジの通し口が形成されてなり、連結金具には止ネジの螺入孔が設けてあることを特徴とする額縁。
【請求項３】
連結金具には、止ネジの螺入孔が設けてあることを特徴とする請求項１または２記載の額縁。
【請求項４】
額縁が壁掛け式に左右一対で掛けられる吊金具を付属品として備えてなり、その吊金具は、掛け穴を有する壁への掛け子と、その取付ネジとからなり、掛け子に設けた通し孔より取付ネジを連結金具の螺入孔にねじ込み、その締めにより上記掲示板が押さえ止められるように構成したことを特徴とする請求項１，２または３記載の額縁。
【請求項５】
額縁がスタンド式に後ろ傾斜に支持される支持棒を備えてなり、支持棒の基端に連結金具の螺入孔にねじ付ける細い雄ネジを突設し、その締めつけにより上記開示板が押さえ止められるように構成したことを特徴とする請求項１，２，３または４記載の額縁。
【請求項６】
止ネジの頭部をフレームの蟻溝内に納め、連結金具を貫通した止ネジの先端にナットを螺入することにより、それで上記掲示板を押さえ止めるように構成したことを特徴とする請求項１，２，３，４または５記載の額縁。
【発明の詳細な説明】
【技術分野】
【０００１】
この発明は、賞状・証書・ポスター等の薄い掲示物を保持する形式の額縁に関する。
【背景技術】
【０００２】
従来、この種の額縁は、例えばフレームによる枠組みの中に前面の透明板と裏板とを納め、その両板の間に掲示物を差し挟んで保持するもので、この場合、フレームには前面の内縁に透明板の掛止片が突設される他、透明板に裏板を押さえ付ける手段が裏側に設けられる。この手段には、例えば、羽根をフレームに回転自在に軸支するトンボ形式をはじめ、フレームの裏側に掛止溝を設けておいて、それに掛止できるバネ材からなる押え具を用いるバネ形式等の形態があった。
【発明の開示】
【発明が解決しようとする課題】
【０００３】
上記のような従来の額縁によれば、フレームの裏側がトンボの取り付けや掛止溝を設けるための広い幅を必要とするが、前側についてはその幅以上の幅が必要で前面幅広で不格好となっていた。つまり、前面の透明板等は裏側から納めることになるので、フレームの前側は裏側の幅に透明板を掛止する幅がプラスされたからである。したがって、従来の額縁では前面のフレーム幅の縮小に制約を受ける結果、フレームが控えめで掲示物が背景に浮きだす繊細な額縁を提供することができなかった。
【０００４】
しかしながら、現在では、賞状・証書・ポスター等の掲示物は、個性の表現となる出力物が多くなり、デザインが多様化している関係もあって、掲示用のフレームは、意匠としてのスッキリ感・シンプルさに加えて掲示シーンでの照明効果などを伴って、作品の浮き出し感が出ることでおしゃれな表現となるものが求められている。
【０００５】
この発明は、上記のような実情に鑑みて、フレームの形状が極力簡素な繊細形状となるために、意匠としてのスッキリ・シンプルさと掲示シーンでの照明効果を伴って、掲示物に浮き出し感が生じるおしゃれな額縁、特に掲示物が背景に浮き出す繊細な額縁を提供することを課題とした。
【課題を解決するための手段】
【０００６】
上記の課題を解決するために、第１発明は、縦横フレームをＬ字形の連結金具により枠組みした矩形の額縁本体と、掲示物を保持して額縁本体に納められる掲示板と、額縁本体に各隅角において上記掲示板を押さえる数個の止ネジとからなり、各フレームは、連結金具の直片が嵌入して固定される蟻溝からなるチャンネル形に形成するとともに、蟻溝が開口する裏面に外側の延長となる突条を上記掲示板の囲みとして突設してなり、上記掲示板には、各隅角において上記止ネジの通し口が形成されていることを特徴とする額縁を提供する。
【０００７】
また、第２発明は、縦横フレームをＬ字形の連結金具により枠組みした矩形の額縁本体と、掲示物を挟んで額縁本体に納められる一対の掲示板（以下、この場合の「掲示板」を便宜上「挟持板」とする）と、額縁本体に各隅角において両掲示板を押さえる数個の止ネジとからなり、各フレームは、連結金具の直片が嵌入して固定される上部空間とその下に下部空間を有する二段空間の蟻溝がほゞ全体となるチャンネル形に形成するとともに、蟻溝が開口する裏面に外側の延長となる突条を両掲示板の囲みとしてその両重ね厚みにほゞ等しい寸法に突設してなり、両掲示板は、少なくとも前面となる一枚が透明であって、各隅角において前記止ネジの通し口が形成されてなり、連結金具には止ネジの螺入孔が設けてあることを特徴とする額縁を提供するものである。
【０００８】
上記の構成によれば、額縁本体に納まる二枚の挟持板（以下、説明の都合上、挟持板の実施例を代表に説明していく）のうち、少なくとも前側の挟持板を透けて掲示物が見えるようにしたもので、両挟持板をフレームの裏面に当てて突条の囲みに納まるようにしたから、フレームの前面を裏面と同じ幅に幅狭く形成することができる。加えて、フレームが二段空間の蟻溝を形作るチャンネル形であって、それに単に突条を突設した極めてシンプルな断面構造であるので、枠組み（コーナー止め）と両挟持板の押さえ止めという額縁に要する必須条件を備えながら、フレームに最小限にシャープさを求めることが可能となった。
【発明の効果】
【０００９】
以上説明したように、この発明によれば、額縁のフレームの形状が極力簡素な繊細形状となるために、意匠としてのスッキリ感やシンプルさを表現可能であり、掲示シーンでの照明効果を伴わせると、掲示物に浮き出し感が生じるために、室内のセンスのある斬新な装飾演出効果にこの上なく応えてくれる。また、特に二枚の挟持板を共に透明板とし、その間に掲示物を挟むことで、掲示物が背景に浮き出す繊細な額縁を提供することができるという優れた効果がある。また、挟持板が透明であると、いわゆるトンボ等が透明板を通して前面から見えるという不都合があるが、本発明では、トンボ方式を不要としている点でも優れている。
【００１０】
また特に、吊金具の取付けや（請求項４）、支持棒の取付け（請求項５）が連結金具へのねじ込みにより確実に固定してなすことができると同時に、挟持板の押さえをそれらで都合良くなし得るという効果がある。
【発明を実施するための最良の形態】
【００１１】
図１ないし図６は、本願発明の一実施の形態を示したもので、その額縁Ｇは、フレーム２，２，２，２で枠組みされた額縁本体１と、その中に納まって賞状・証書・ポスター等の掲示物Ｐを展示可能に間に保持する２枚の挟持板３，４と、各隅角において挟持板３，４を押さえる止ネジ５，５，・・とからなるものであるが、その他に、壁掛けとして使用するために取り付けられる一対の吊金具８，８と、スタンドとして使用するために取り付けられる支持棒７とが付属品として具備されている。
【００１２】
額縁本体１を枠組みする各フレーム２は、アルミ押出形材からなり、挟持板３，４を重ね当てる裏面に蟻溝１０が開口しているが、その蟻溝１０自体の（それより一回り大きいだけの）小チャンネル形であり、僅かに外側縁にその側壁が延長して裏面に突条１１が突設される程度であるため、極めて鋭いシャープな感じのフレームである。また、蟻溝１０は、一対の開口突縁１２，１２を有する他に、その下にもう一対の内部突縁１３，１３を突設してある。つまり、連結金具９が納まる上部空間１４と、それから止ネジ５が抜ける下部空間１５とを有する二段構造である。また、突条１１は、２枚の挟持板３，４を囲むだけの低い突出長に形成される。
【００１３】
額縁本体１の枠組み（コーナー止め）については、縦横フレーム２，２の双方にＬ字形の連結金具９を挿入して固定がなされる。固定手段については、連結金具９の両直片９ａ，９ａに幅中央に頭部なしの押ネジ１６，１６を通すネジ孔（符号省略）を一対ずつ設け、こうして押ネジ１６を蟻溝１０の底面に押圧する反力が利用され、反力で両直片９ａ，９ａを開口突縁１３，１３に押圧させることにより固定される。このような連結手段は従来から普通に行われていることで、その他に、両直片９ａ，９ａに開口突縁１３，１３をかしめるという固定の仕方もある。
【００１４】
連結金具９の両直片９ａ，９ａには、さらに、両押ネジ１６，１６のネジ孔の間に挟持板３，４を押さえる止ネジ５の螺入孔１７が設けられる。したがって、一の連結金具９には一対の螺入孔１７，１７を有するが、額縁Ｇの各隅角では、挟持板３，４を止めるのに必ずしも２本の止ネジ５，５を必要とすることはなく、１本でも（１ヵ所止めでも）足りるため、図１に矢印で示すように、止ネジ５を使用しない方の螺入孔１７については、前記した付属品の吊金具８または支持棒７を取り付けるのに利用される。ただし、この付属品の取付けによっても挟持板３，４が押さえ止められるため、各隅角では結局確実な２ヵ所止めとなる。
【００１５】
２枚の挟持板３，４は、各隅角において螺入孔１７，１７に相当する位置に止ネジ５，５の通し口１９，１９が設けられる。通し口１９，１９は、切欠の形に形成されるが、貫通孔であっても良い。しかし、図示の如く切欠に形成されていると、挟持板３，４の弾性変形が比較的自由で柔軟性がある場合には、螺入孔１７に止ネジ５を仮止め程度に付けておき、挟持板３，４を湾曲させて止ネジ５の頭下に口合わせに切欠を通すことができるために、孔に止ネジ５を通す細かい神経を使うことを要せず、掲示物Ｐの出し入れの際には好都合となる。
【００１６】
挟持板３，４は、この実施形態では、両方とも互換可能な同一形状の透明板とした。しかし、一枚つまり前面の挟持板３を透明板となし、他の挟持板４を不透明な裏板や模様を有する化粧板等としてもこの発明の趣旨に反しない。しかしながら、両方とも透明板であるならば、掲示物Ｐが真ん中に小さく展示されると、額縁Ｇの背景、例えば庭の景色、山々の景色等が透けて見えてその自然の姿の中に、掲示物Ｐが浮き彫りに見えることになる。なお、こうした見え方に設定するには、壁掛けではなくスタンド形式（図６参照）となる。
【００１７】
壁掛けの場合に使用する吊金具８は、プラスチックで成形された掛け子８ａと、取付ネジ８ｂとからなるもので、掛け子８ａの基端部には取付ネジ８ｂの通し孔２１が設けられているので、通し孔２１から取付ネジ８ｂを螺入孔１７に螺入して締めつけると、図４に示すように、左右一対において吊金具８を取り付けることができる。同図示の場合は、横長の壁掛けとなるが、長短いずれの辺の側においても螺入孔１７を有するので、縦長の壁掛けとすることもできる。なお、掛け子８ａは、先端部が取付ネジ８ｂの頭部面とほゞ面一となるように高くなっている（図１，図５（ｂ））。なお、壁掛けについては、掛け子８ａに掛け穴２２を有するので、壁Ｗに突設したビス２４やフック等にそれを引っかける（図５（ａ））。または、フレームを壁３に当て、掛け子８ａのピン穴８ｃにそのまゝピン２５を打ち込む（図５（ｂ））。
【００１８】
支持棒７は、棒状材の基端に細い雄ネジ２３を突設したもので、雄ネジ２３を螺入孔１７にねじ込むことにより取り付けることができる。図６がスタンド形式にテーブル上に設置した場合を示したもので、透明な両挟持板３，４を通して後の背景の中に掲示物Ｐを浮き彫りとなることは先に述べた通りである。しかし、裏側の挟持板４が不透明であっても、目立たなくフレーム２がシャープであるために、特に室内照明の演出が加わると（演出しやすくなる）、掲示物Ｐが浮き彫りに際立って見えることになる。
【００１９】
図７は、挟持板３，４の止め方について他の実施形態を示したもので、この場合は、前記実施形態とは異なり、フレーム２は一段蟻溝１０のチャンネル形に形成してある。蟻溝１０はその溝内に止ネジ６の頭部と連結金具９が納まる大きさに形成され、連結金具９の両直片９ａ，９ａには止ネジ６の貫通孔１８が設けられている。そして、貫通孔１８から上に突出した止めネジ６のネジ部分にナット６ｂを螺入し、その締め付けで挟持板３，４が押さえ止められる。
【図面の簡単な説明】
【００２０】
【図１】この発明の額縁の構造を切欠して示す一部の分解斜視図である。
【図２】同額縁を組み立てた正面図である。
【図３】図２のＡ−Ａ線矢視の拡大断面図である。
【図４】同額縁を壁掛けの吊金具が取り付けられた状態で示す背面図である。
【図５】図４の壁掛けの使用状態を示す拡大側面図で、同図（ａ）及び同図（ｂ）は各使用状態例を示した側面図である。
【図６】同額縁のスタンド式の使用状態を示す側面図である。
【図７】本願発明の別の実施形態を示す図３に対応する断面図である。
【符号の説明】
【００２１】
Ｇ  額縁
Ｐ  掲示物
１  額縁本体
２  フレーム
３，４  挟持板
５，６  止ネジ
６ａ  頭部
６ｂ  ナット
７  支持棒
８  吊金具
８ａ  掛け子
８ｂ  取付ネジ
８ｃ  ピン穴
９  連結金具
９ａ  直片
１０  蟻溝
１１  突条
１４  上部空間
１５  下部空間
１７  螺入孔
１８  貫通孔
１９  通し口
２１  通し孔
２２  掛け穴
２３  雄ネジ
２５  ピン
【図１】
2010068888.tif 000003
【図２】
2010068888.tif 000004
【図３】
2010068888.tif 000005
【図４】
2010068888.tif 000006
【図５】
2010068888.tif 000007
【図６】
2010068888.tif 000008
【図７】
2010068888.tif 000009